(57)【要約】【課題】高精度の指紋入力機能と操作性の高いポインティングデバイス機能を実現する。【解決手段】手指接触に応じた入力信号を生成して指紋入力装置およびポインティングデバイスとして機能する入力装置であるセンサ入力装置１６０は、センサ部１６１の手指接触面での手指位置を規定するための可動ガイド１６２を備える。センサ入力装置１６０が実装されている移動体通信端末などが実行する動作に応じて、モータ１６３が駆動制御されることにより、ガイド駆動機構１６４によって可動ガイド１６２が上下動する。ここで、指紋認証などで１次元方向の手指移動をおこなう場合には、可動ガイド１６２がセンサ部１６１の手指接触面から突出するよう駆動する。そして、認証が終了すると、モータ１６３が駆動制御され、突出させた可動ガイド１６２を収納し、センサ部１６１をポインティングデバイスとして機能させる。【選択図】図３
2008186320.tif 000002
【特許請求の範囲】
【請求項１】
手指接触に応じた入力信号を生成して指紋入力装置およびポインティングデバイスとして機能する入力装置において、
前記入力装置の手指接触面での手指位置を規定するためのガイドと、
前記入力装置が用いられる装置が実行する動作に応じて、前記ガイドが前記手指接触面から突出するよう駆動するとともに、前記入力装置が用いられる装置が実行する動作に応じて、前記突出させた前記ガイドを、前記手指接触面から突出しないよう駆動するガイド駆動手段と、
を備えることを特徴とする入力装置。
【請求項２】
前記ガイド駆動手段は、前記入力装置を前記指紋入力装置として機能させる場合に前記ガイドを突出させるよう駆動し、前記入力装置を前記ポインティングデバイスとして機能させる場合に前記ガイドが突出しないよう駆動する、
ことを特徴とする請求項１に記載の入力装置。
【請求項３】
前記ガイド駆動手段は、
前記入力装置を前記ポインティングデバイスとして機能させる場合において、手指の移動方向が１次元方向のみとなる場合に前記ガイドが突出するよう駆動し、
前記入力装置を前記ポインティングデバイスとして機能させる場合において、手指の移動方向が２次元方向となる場合に前記ガイドが突出しないよう駆動する、
ことを特徴とする請求項１または２に記載の入力装置。
【請求項４】
前記ガイド駆動手段は、前記ガイドを突出させる契機となった前記入力装置が用いられる装置の動作が終了した場合に前記ガイドを突出しないよう駆動する、
ことを特徴とする請求項１乃至３のいずれか１項に記載の入力装置。
【請求項５】
前記ガイド駆動手段は、前記入力装置が用いられる装置が認証動作をおこなう間、前記ガイドが突出するよう駆動し、前記認証動作の終了に応じて前記ガイドが突出しないよう駆動する、
ことを特徴とする請求項１乃至４のいずれか１項に記載の入力装置。
【請求項６】
手指接触に応じた入力信号を生成する入力装置を備えた移動体通信端末であって、
前記入力装置を指紋入力装置またはポインティングデバイスとして機能させる入力制御手段と、
前記入力装置の手指接触面における手指位置を規定するための可動ガイドと、
前記入力制御手段による前記入力装置の機能、及び／又は、前記移動体通信端末がおこなう動作に基づいて、前記可動ガイドを駆動制御するガイド駆動手段と、
を備えることを特徴とする移動体通信端末。
【請求項７】
前記ガイド駆動手段は、
前記入力制御手段が前記入力装置を前記指紋入力装置として機能させる場合、前記可動ガイドが前記手指接触面から突出するよう駆動制御し、
前記入力制御手段が前記入力装置を前記ポインティングデバイスとして機能させる場合、前記可動ガイドが前記手指接触面から突出しないよう駆動制御する、
ことを特徴とする請求項６に記載の移動体通信端末。
【請求項８】
前記ガイド駆動手段は、
前記移動体通信端末が認証動作をおこなう間、前記可動ガイドが前記手指接触面から突出するよう駆動制御する、
ことを特徴とする請求項６または７に記載の移動体通信端末。
【請求項９】
前記ガイド駆動手段は、前記入力制御手段が前記入力装置を前記ポインティングデバイスとして機能させる場合において、
前記入力装置における手指移動方向が１次元方向のみとなる場合、前記可動ガイドが前記手指接触面から突出するよう駆動制御する、
ことを特徴とする請求項６乃至８のいずれか１項に記載の移動体通信端末。
【請求項１０】
手指接触に応じた入力信号を生成する入力装置を備えた移動体通信端末を制御するコンピュータに、
前記入力装置からの入力信号に基づいて指紋入力をおこなう機能と、
前記入力装置からの入力信号に基づいてポインティング動作をおこなう機能と、
前記入力装置からの入力信号に基づく動作、及び／又は、前記移動体通信端末がおこなう動作に基づいて、前記入力装置の手指接触面における手指位置を規定するための可動ガイドを駆動する機能と、
を実現させることを特徴とするプログラム。
【発明の詳細な説明】
【技術分野】
【０００１】
本発明は、入力装置、移動体通信端末、および、プログラムに関し、特に、セキュリティと利便性の両立に好適な入力装置、移動体通信端末、および、プログラムに関する。
【背景技術】
【０００２】
携帯電話などの移動体通信端末では、基本機能となる音声通話機能以外の種々の機能が付加され多機能化が進んでいる。近時では、例えば、電子マネー機能やクレジットカード機能などといった、金銭的な決済をおこなえる機能も搭載されている。このような機能はユーザに利便性をもたらす反面、例えば、紛失や盗難などで第三者に不正利用されると、金銭的な損失が生じるおそれがある。また、端末内に保存されている個人情報などが漏洩する危険性もある。
【０００３】
このような紛失や盗難のおそれは、小型である移動体通信端末では特に多いため、正規ユーザ以外の使用を制限することが重要となってくる。この場合、ユーザ認証が必要となるが、指紋などの生体特徴によって使用者を認証するバイオメトリクス認証技術が移動体通信端末にも搭載されつつある。移動体通信端末においては、比較的小型の装置によって実現可能な指紋認証が採用されることが多い。指紋認証の場合、筐体上に設けたラインセンサなどで指紋画像を読み取ることになる。
【０００４】
一方で、移動体通信端末の高性能化により、例えば、パーソナルコンピュータ用に作成されたウェブページを表示可能とする機能（いわゆる、ＰＣサイトビューアー（商標））なども一般的になっている。このような画面表示の高性能化により、パーソナルコンピュータなどで用いられるようなポインティングデバイスと同等の操作性を有する入力手段が移動体通信端末にも求められている。
【０００５】
このような背景から、指紋検出装置とポインティングデバイスとを兼ねたセンサを搭載した移動体通信端末が提案されている（例えば、特許文献１）。
【特許文献１】特開２００３−２９８６８９号公報
【発明の開示】
【発明が解決しようとする課題】
【０００６】
しかしながら、特許文献１の手法では、指紋検出の精度とポインティングデバイスの操作性とを両立させることが困難である。つまり、指紋認証をおこなうときは、予め登録してある指紋画像と同じ部分の指紋画像を取得しなければ精度の高い照合をおこなうことができないので、センサ上に置く手指位置を規定するガイドを設けることが有用であるが、このようなガイドの存在は、センサ上で手指を２次元方向に動かす際には手指移動の妨げになり、ポインティングデバイスとしての操作性を低下させてしまうという問題がある。
【０００７】
本発明は、上記実状に鑑みてなされたものであり、高精度の指紋入力機能と操作性の高いポインティングデバイス機能を実現する入力装置、移動体通信端末、および、プログラムを提供することを目的とする。
【課題を解決するための手段】
【０００８】
上記目的を達成するため、本発明の第１の観点にかかる入力装置は、
手指接触に応じた入力信号を生成して指紋入力装置およびポインティングデバイスとして機能する入力装置において、
前記入力装置の手指接触面での手指位置を規定するためのガイドと、
前記入力装置が用いられる装置が実行する動作に応じて、前記ガイドが前記手指接触面から突出するよう駆動するとともに、前記入力装置が用いられる装置が実行する動作に応じて、前記突出させた前記ガイドを、前記手指接触面から突出しないよう駆動するガイド駆動手段と、
を備えることを特徴とする。
【０００９】
上記入力装置において、
前記ガイド駆動手段は、前記入力装置を前記指紋入力装置として機能させる場合に前記ガイドを突出させるよう駆動し、前記入力装置を前記ポインティングデバイスとして機能させる場合に前記ガイドが突出しないよう駆動することが望ましい。
【００１０】
上記入力装置において、
前記ガイド駆動手段は、
前記入力装置を前記ポインティングデバイスとして機能させる場合において、手指の移動方向が１次元方向のみとなる場合に前記ガイドが突出するよう駆動し、
前記入力装置を前記ポインティングデバイスとして機能させる場合において、手指の移動方向が２次元方向となる場合に前記ガイドが突出しないよう駆動することが望ましい。
【００１１】
上記入力装置において、
前記ガイド駆動手段は、前記ガイドを突出させる契機となった前記入力装置が用いられる装置の動作が終了した場合に前記ガイドを突出しないよう駆動することが望ましい。
【００１２】
上記入力装置において、
前記ガイド駆動手段は、前記入力装置が用いられる装置が認証動作をおこなう間、前記ガイドが突出するよう駆動し、前記認証動作の終了に応じて前記ガイドが突出しないよう駆動することが望ましい。
【００１３】
上記目的を達成するため、本発明の第２の観点にかかる移動体通信端末は、
手指接触に応じた入力信号を生成する入力装置を備えた移動体通信端末であって、
前記入力装置を指紋入力装置またはポインティングデバイスとして機能させる入力制御手段と、
前記入力装置の手指接触面における手指位置を規定するための可動ガイドと、
前記入力制御手段による前記入力装置の機能、及び／又は、前記移動体通信端末がおこなう動作に基づいて、前記可動ガイドを駆動制御するガイド駆動手段と、
を備えることを特徴とする。
【００１４】
上記移動体通信端末において、
前記ガイド駆動手段は、
前記入力制御手段が前記入力装置を前記指紋入力装置として機能させる場合、前記可動ガイドが前記手指接触面から突出するよう駆動制御し、
前記入力制御手段が前記入力装置を前記ポインティングデバイスとして機能させる場合、前記可動ガイドが前記手指接触面から突出しないよう駆動制御することが望ましい。
【００１５】
上記移動体通信端末において、
前記ガイド駆動手段は、
前記移動体通信端末が認証動作をおこなう間、前記可動ガイドが前記手指接触面から突出するよう駆動制御することが望ましい。
【００１６】
上記移動体通信端末において、
前記ガイド駆動手段は、前記入力制御手段が前記入力装置を前記ポインティングデバイスとして機能させる場合において、
前記入力装置における手指移動方向が１次元方向のみとなる場合、前記可動ガイドが前記手指接触面から突出するよう駆動制御することが望ましい。
【００１７】
上記目的を達成するため、本発明の第３の観点にかかるプログラムは、
手指接触に応じた入力信号を生成する入力装置を備えた移動体通信端末を制御するコンピュータに、
前記入力装置からの入力信号に基づいて指紋入力をおこなう機能と、
前記入力装置からの入力信号に基づいてポインティング動作をおこなう機能と、
前記入力装置からの入力信号に基づく動作、及び／又は、前記移動体通信端末がおこなう動作に基づいて、前記入力装置の手指接触面における手指位置を規定するための可動ガイドを駆動する機能と、
を実現させることを特徴とする。
【発明の効果】
【００１８】
本発明によれば、高精度の指紋入力機能と操作性の高いポインティングデバイス機能を実現するができる。
【発明を実施するための最良の形態】
【００１９】
本発明にかかる実施形態を、図面を参照して以下に説明する。
【００２０】
まず、図１および図２を参照して、本実施形態にかかる移動体通信端末１００の構成を説明する。本実施形態にかかる移動体通信端末１００は、例えば、折りたたみ式の筐体を有する移動体通信端末である。図１は移動体通信端末１００の外観構成を示す模式図であり、図２は移動体通信端末１００の内部構成を示すブロック図である。各図に示すように、移動体通信端末１００は、制御部１１０、通信制御部１２０、操作部１３０、表示部１４０、音声処理部１５０、スピーカ１５１、マイクロフォン１５２、センサ入力装置１６０、記憶部１７０、などから構成されている。
【００２１】
制御部１１０は、例えば、ＣＰＵ（Central Processing Unit：中央演算処理装置）やＲＡＭ（Random Access Memory）などから構成され、移動体通信端末１００の各部を制御する。本実施形態では、制御部１１０がプログラムを実行することで、後述する各処理をおこなうための各機能が実現される。
【００２２】
通信制御部１２０は、移動体通信端末１００の通信動作をおこなうための送受信装置などから構成され、アンテナ１２１による無線送受信動作を制御することで、移動体通信端末１００と基地局ＢＳとの通信動作が実現される。
【００２３】
操作部１３０は、例えば、図１に示すような、移動体通信端末１００の外面１００Ｓ上のキーやボタンなどから構成され、ユーザによる操作に応じた入力信号を制御部１１０に入力する。
【００２４】
表示部１４０は、例えば、液晶表示装置などから構成され、移動体通信端末１００の各機能にかかる画面を表示出力する。
【００２５】
音声処理部１５０は、例えば、音声コーデックなどから構成され、移動体通信端末１００の音声通話機能にかかる音声入出力動作をおこなう。すなわち、通信制御部１２０によって受信されたデジタル音声信号をアナログ音声信号に変換してスピーカ１５１から出力するとともに、マイクロフォン１５２から入力された音声をデジタル音声信号に変換して通信制御部１２０に供することで、音声通話が実現される。
【００２６】
センサ入力装置１６０は、図１に示すように、移動体通信端末１００の外面１００Ｓ上に構成され、ユーザの手指接触を検知するセンサによって入力動作をおこなう入力装置である。本実施形態では、移動体通信端末１００の使用者を認証するための指紋入力装置と、表示部１４０上のポインタなどを操作するための、例えば、タッチパッドのようなポインティングデバイスとして機能するものである。
【００２７】
センサ入力装置１６０の構成を、図３を参照して説明する。図３（ａ）は、図１に示したセンサ入力装置１６０を拡大表示した平面図であり、移動体通信端末１００の外面上に露出している部分の構成を示している。図示するように、移動体通信端末１００の外面１００Ｓ上には、センサ部１６１、可動ガイド１６２、などが構成されている。
【００２８】
センサ部１６１は、例えば、電界強度測定方式や静電容量方式のスイープ型半導体センサ（ラインセンサ）などといった手指接触に応じて信号を生成して入力するセンサから構成され、図３（ｂ）に示すように、移動体通信端末１００のユーザが手指を接触させることで、手指の指紋検出（指紋画像取得）や、手指移動の検出をおこなう。
【００２９】
可動ガイド１６２は、センサ部１６１上での手指位置を規定するためのガイドとなる部材であり、例えば、図３（ａ）に示すように、センサ部１６１の左右端に一対となるよう構成することで、手指の中心位置がセンサ部１６１上に載置されるようにする。ここで、図３（ｃ）および図３（ｄ）は、センサ入力装置１６０の断面を示す図であるが、図３（ｃ）に示すように、センサ部１６１上の手指接触面より可動ガイド１６２が突出していることで、上述したガイドとして機能する。
【００３０】
本実施形態では、このように突出した状態の他、図３（ｄ）に示すように、可動ガイド１６２がセンサ部１６１の手指接触面から突出しない状態（収納状態）にできるようセンサ入力装置１６０を構成する。この場合、可動ガイド１６２を上下方向に可動となるように構成する他、例えば、図３（ｃ）および図３（ｄ）に示すように、移動体通信端末１００の内部にモータ１６３やガイド駆動機構１６４を構成することで、可動ガイド１６２の突出動作および収納動作をおこなう。
【００３１】
この構成では、モータ１６３の回転運動をガイド駆動機構１６４が可動ガイド１６２に伝達することで、モータ１６３の回転方向に応じて可動ガイド１６２の上下運動が発生する。この場合、可動ガイド１６２とガイド駆動機構１６４に、例えば、ラックアンドピニオンと同様の構成を適用することで、モータ１６３の回転運動で可動ガイド１６２を上下可動させる。
【００３２】
図２に戻り、移動体通信端末１００の構成を説明する。
【００３３】
記憶部１７０は、例えば、フラッシュメモリやハードディスク装置などから構成され、移動体通信端末１００の動作に必要なデータやプログラムなどを格納する。本実施形態では、プログラム格納部１７１、認証情報格納部１７２、指紋情報一時格納部１７３、などの記憶領域が用意されており、各記憶領域に所定の情報が格納される。
【００３４】
プログラム格納部１７１は、制御部１１０が実行するプログラムを格納する領域である。本実施形態では、移動体通信端末１００全体の動作を実現するためのプログラム（例えば、ＯＳ（Operating System））や種々のアプリケーションプログラムの他、センサ入力装置１６０を指紋入力装置やポインティングデバイスとして機能させるためのプログラムが格納される。
【００３５】
認証情報格納部１７２は、センサ入力装置１６０を指紋入力装置として機能させて指紋認証をおこなう場合に用いられる認証情報を格納する。認証情報格納部１７２に格納される認証情報の例を図４に示す。図示するように、認証情報格納部１７２には、移動体通信端末１００のユーザから読み取った指紋画像もしくはその指紋画像の特徴点を示す情報（指紋情報）の他、指紋認証による認証が必要となる動作（トリガ動作）や指紋認証によって自動入力する認証情報（ユーザＩＤやパスワードなど）などが対応づけられて格納される。指紋認証による認証は、例えば、移動体通信端末１００の起動やロック解除、認証情報の入力を要するウェブサイトへのアクセス、電子マネーなどの決済機能の実行、などをトリガとしておこなうものとする。
【００３６】
指紋情報一時格納部１７３は、センサ入力装置１６０を用いて指紋認証をおこなう場合に、センサ部１６１によって取得された指紋情報（指紋画像や特徴点データ）を、認証動作に供するために一時的に格納する。
【００３７】
ここで、制御部１１０がプログラム格納部１７１に格納されているプログラムを実行することで実現される機能を、図５を参照して説明する。ここでは、移動体通信端末１００のセンサ入力装置１６０を動作させるために実現される機能について説明する。図示するように、制御部１１０は、認証動作判別部１１１、ガイド制御部１１２、センサ制御部１１３、認証動作部１１４、表示制御部１１５、などとして機能する。
【００３８】
認証動作判別部１１１は、認証情報格納部１７２に格納されているトリガ動作情報などに基づいて、センサ入力装置１６０を用いた指紋認証を要する動作がおこなわれるか否かを判別する。この場合、認証動作判別部１１１は、操作部１３０からの入力信号に基づいて制御部１１０が実行するアプリケーションや動作を判別し、その動作がトリガ動作として認証情報格納部１７２に登録されているか否かを判別する。また、認証動作判別部１１１は、センサ入力装置１６０を用いた指紋認証動作が終了したか否かを判別する。
【００３９】
ガイド制御部１１２は、認証動作判別部１１１による判別結果に応じてモータ１６３を制御することで、可動ガイド１６２の突出／収納を制御する。本実施形態では、認証動作判別部１１１の判別に基づき、指紋認証を要する動作が実行されることを契機にモータ１６３を制御して可動ガイド１６２を突出させ、その指紋認証動作が終了したことを契機にモータ１６３を制御して可動ガイド１６２を収納する。
【００４０】
センサ制御部１１３は、認証動作判別部１１１による判別結果に応じてセンサ部１６１を制御することで、センサ部１６１を指紋入力装置またはポインティングデバイスとして機能させる。ここで、センサ部１６１を指紋入力装置として機能させる場合は、突出した可動ガイド１６２に沿って１次元方向に移動される手指の指紋画像を取得するよう動作させ、ポインティングデバイスとして機能させる場合は、センサ部１６１の手指接触面上で２次元方向に移動させた手指の動き（方向や移動量など）を検出させる。
【００４１】
認証動作部１１４は、センサ部１６１を指紋入力装置として機能させた場合に、センサ部１６１が取得した指紋画像に基づいて指紋認証をおこなう。ここで、指紋認証の方式がパターンマッチング方式である場合は、取得した指紋画像と認証情報格納部１７２に格納されている指紋画像とを照合し、マニューシャ方式である場合は、取得した指紋画像の特徴点を抽出し、認証情報格納部１７２に格納されている特徴点情報と照合することで指紋認証をおこなう。
【００４２】
表示制御部１１５は、センサ部１６１をポインティングデバイスとして機能させた場合に、センサ部１６１が検出した手指の動きに応じて表示部１４０の表示制御をおこなう。ここでは、センサ部１６１が検出した手指の動作方向や動作量に基づいて表示部１４０上に表示するポインタを移動表示させることで、ユーザの手指動作に応じたポインティングデバイスとして機能させる。
【００４３】
本実施形態では、制御部１１０がプログラムを実行することで、図５に示す各機能が実現されるものとするが、例えば、ＡＳＩＣ（Application Specific Integrated Circuit：特定用途向け集積回路）などのハードウェア構成によってこれらの機能が実現されてもよい。
【００４４】
以上の構成は、本発明を実現するために必要な構成であり、移動体通信端末としての基本機能や付加機能のために必要なその他の構成については、必要に応じて備えられているものとする。
【００４５】
以上のような構成を有する移動体通信端末１００の動作を以下説明する。まず、図６に示すフローチャートを参照して、移動体通信端末１００の制御部１１０が実行する「ガイド制御処理」を説明する。このガイド制御処理は、認証情報格納部１７２に格納されているトリガ動作が実行されたことを契機に開始される。
【００４６】
例えば、移動体通信端末１００の起動がトリガ動作として登録されている場合は、移動体通信端末１００の電源がオンされたことを契機に処理が開始される。また、移動体通信端末１００のロック解除がトリガ動作として登録されている場合は、ロック状態の移動体通信端末１００で何らかの操作がなされたことを契機に処理が開始される。また、所定のウェブサイトへのアクセスがトリガ動作として登録されている場合は、そのウェブサイトにアクセスしたことを契機に処理が開始される。また、電子マネー機能などといった特定のアプリケーションの実行がトリガ動作として登録されている場合は、そのアプリケーションの実行が指示されたことを契機に処理が開始される。
【００４７】
このようなトリガ動作に伴う入力信号が操作部１３０から制御部１１０に入力されると、認証動作判別部１１１が、認証情報格納部１７２に登録されているトリガ動作を参照し、これから実行される動作が認証を要するトリガ動作であるか否かを判別し、トリガ動作であると判別した場合にガイド制御処理を実行する。なお、本実施形態では、通常、可動ガイド１６２は収納されているものとする。
【００４８】
処理が開始されると、認証動作判別部１１１は、認証を要するトリガ動作が実行されることをガイド制御部１１２に通知する。ガイド制御部１１２は、認証動作判別部１１１からの通知に応じてモータ１６３を制御し、可動ガイド１６２を突出させる（ステップＳ１０１）。ここでは、収納されている可動ガイド１６２をセンサ部１６１の手指接触面から突出させる回転方向でモータ１６３を回転させる。
【００４９】
ガイド制御部１１２は、モータ１６３を制御して可動ガイド１６２を突出させると、その旨をセンサ制御部１１３に通知する。センサ制御部１１３は、ガイド制御部１１２からの通知に応じてセンサ部１６１を制御し、センサ部１６１を指紋入力装置として機能させる（ステップＳ１０２）。
【００５０】
ここで、本実施形態では、指紋認証動作をおこなう場合にのみ可動ガイド１６２を突出させるものとする。つまり、センサ部１６１を構成しているスイープ型のラインセンサなどのセンサで指紋画像を取得する場合、図７（ａ）に示すように、センサ部１６１上で手指を１次元方向に移動させることになる。このとき、より正確な指紋認証をおこなうには、取得する指紋画像の位置が一定となっている必要がある。このため、可動ガイド１６２を突出させて手指の載置位置を規定することで、正確な指紋認証に必要な指紋画像の取得を図っている。
【００５１】
換言すると、指紋画像の取得をおこなう場合にのみ可動ガイド１６２を突出させるので、可動ガイド１６２を突出させている間は指紋入力をおこなうことになる。よって、可動ガイド１６２を突出させたことを契機に、センサ制御部１１３は、センサ部１６１を指紋入力装置として機能させる。
【００５２】
この場合、移動体通信端末１００のユーザは、予め登録してある手指を、突出された可動ガイド１６２に合わせてセンサ部１６１上に載置し、図７（ａ）に示すような１次元方向に移動させる。センサ部１６１は、このような手指移動によってスキャンした指紋画像に基づく指紋情報（指紋画像もしくは指紋画像から抽出された特徴点情報）を指紋情報一時格納部１７３に入力するとともに、その旨を認証動作部１１４に通知する。なお、指紋認証方式としてマニューシャ方式が採用されている場合は、指紋情報一時格納部１７３に入力された指紋画像から認証動作部１１４が特徴点の抽出をおこなうものとする。
【００５３】
指紋情報が入力されると（ステップＳ１０３：Ｙｅｓ）、認証動作部１１４は、指紋情報一時格納部１７３に入力された指紋情報と認証情報格納部１７２に格納されている指紋情報とを照合する（ステップＳ１０４）。このとき、認証動作部１１４は、認証情報格納部１７２に格納されている認証情報を参照し、照合結果に応じた動作をおこなう。例えば、電子マネー機能などの特定アプリケーションを実行するために指紋認証をおこなった場合、取得された指紋情報と登録されている指紋情報とが一致したら当該アプリケーションを実行する。また、認証情報の入力が必要なウェブページへのアクセスを契機に指紋認証をおこなった場合は、指紋情報が一致したら、例えば、ウェブブラウザソフトとの協働により、認証情報格納部１７２に格納されているユーザＩＤやパスワードをウェブページに自動入力する。
【００５４】
指紋情報を用いた照合による認証動作が終了すると（ステップＳ１０５：Ｙｅｓ）、認証動作部１１４は、その旨を認証動作判別部１１１に通知する。また、認証動作の終了時に、指紋情報一時格納部１７３に一時的に格納した指紋情報を削除する。
【００５５】
認証動作判別部１１１は、認証動作部１１４からの通知に応じて、指紋認証動作が終了した旨をガイド制御部１１２に通知する。ガイド制御部１１２は、認証動作判別部１１１からの通知に応じて、モータ１６３を制御し、ステップＳ１０１で突出させた可動ガイド１６２を収納する（ステップＳ１０６）。
【００５６】
なお、認証動作が終了するまでは、可動ガイド１６２が突出した状態が維持される（ステップＳ１０５：Ｎｏ）。つまり、認証動作をおこなっている間は可動ガイド１６２が突出していることになる。
【００５７】
そして、認証動作の終了により可動ガイド１６２を収納すると、ガイド制御部１１２は、その旨をセンサ制御部１１３に通知する。センサ制御部１１３は、ガイド制御部１１２からの通知に応じて、センサ部１６１がポインティングデバイスとして機能するよう制御し（ステップＳ１０７）、処理を終了する。
【００５８】
つまり、可動ガイド１６２を突出させる必要があるのは、手指を１次元方向に移動させる指紋認証時のみであるので、指紋認証の終了を契機に可動ガイド１６２を収納し、センサ部１６１をポインティングデバイスとして機能させる。ここで、ポインティングデバイスとしてセンサ部１６１を用いる場合、図７（ｂ）に示すように、ユーザはセンサ部１６１上で手指を２次元方向にも移動させることになる。このときに可動ガイド１６２が突出していると、指紋認証時の１次元方向とは異なる方向に手指を移動させるときの妨げとなってしまうので、本実施形態では、センサ部１６１をポインティングデバイスとして機能させる場合には可動ガイド１６２を収納する。
【００５９】
このようにしてセンサ部１６１をポインティングデバイスとして機能させた場合、センサ部１６１は、手指の移動方向や移動量などを随時検出して表示制御部１１５に入力する。表示制御部１１５は、センサ部１６１からの入力に応じて、表示部１４０上のポインタなどを表示制御することで、センサ部１６１をポインティングデバイスとして機能させる。
【００６０】
以上説明したように、本発明にかかる上記各実施形態によれば、指紋入力装置およびポインティングデバイスとして機能するセンサ入力装置１６０に可動ガイド１６２を構成し、１次元方向の手指移動によって指紋情報を取得して指紋認証をおこなう場合に、センサ部１６１を指紋入力装置として機能させるとともに、手指接触面より突出するよう可動ガイド１６２を駆動することで、正確な指紋認証に必要となる手指載置位置を規定する。一方、指紋認証動作以外の場合には、２次元方向の手指移動に応じた表示制御によってポインティングデバイスとして機能させるとともに、２次元方向の手指移動の妨げとなる可動ガイド１６２を収納させる。
【００６１】
このような構成により、指紋認証時には高精度な指紋入力を実現することができるとともに、指紋認証以外の場面では、操作性の高いポインティングデバイスを提供することができる。
【００６２】
また、可動ガイド１６２の制御は、認証を要する動作やアプリケーションなどを示すトリガ動作に基づいて自動的におこなわれるので、ユーザによる煩雑な操作を要することなく、高いセキュリティと利便性とを両立することができる。
【００６３】
上記実施形態は一例であり、本発明の適用範囲はこれに限られない。すなわち、種々の応用が可能であり、あらゆる実施の形態が本発明の範囲に含まれる。
【００６４】
例えば、上記実施形態で示したトリガ動作は一例であり、可動ガイド１６２を動作させる契機となるトリガ動作はこれらに限られず任意である。このようなトリガ動作は、予め移動体通信端末１００の製造者などによって設定することができる他、移動体通信端末１００のユーザによって任意に設定してもよい。
【００６５】
また、センサ部１６１をポインティングデバイスとして機能させる場合であっても、可動ガイド１６２を突出させるように動作してもよい。例えば、表示部１４０の表示画面のスクロール方向が縦方向のみ（１次元方向のみ）の場合で、ポインティングデバイスを画面スクロールに用いるような場合に、可動ガイド１６２を突出させることで１次元方向の手指移動を補助するようにしてもよい。
【００６６】
また、可動ガイド１６２を動作させる構成は任意とすることができ、上記実施形態で例示したものに限られない。上記実施形態では、モータ１６３の回転によって可動ガイド１６２を上下動させたが、例えば、加圧バネなどを用いて可動ガイド１６２を動作させてもよい。また、可動ガイド１６２がセンサ部１６１の手指接触面に対して相対的に突出するように構成してもよい。この場合、例えば、固定された可動ガイド１６２と上下動可能なセンサ部１６１によってセンサ入力装置１６０を構成してもよい。
【００６７】
このようなセンサ入力装置１６０の配置や個数は図１の例に限られず任意であり、移動体通信端末１００の側面や、操作部１３０が構成されていない面などに構成してもよい。
【００６８】
なお、上述した移動体通信端末１００のように、本発明を実現するための機能を予め備えている移動体通信端末として提供できることはもとより、上述したセンサ入力装置１６０を、例えば、既存の装置（移動体通信端末など）に適用可能なモジュールなどの形態で提供することもできる。そして、このような入力装置を既存の移動体通信端末などに適用することで、上述した移動体通信端末１００と同様の機能を有する装置を実現することができる。なお、このような入力装置を適用可能な装置は移動体通信端末に限られるものではなく、例えば、情報処理装置（ＰＤＡ（Personal Digital Assistants：携帯情報端末）やパーソナルコンピュータなど）や情報処理装置用のキーボードなどといった種々の装置に適用してもよい。
【００６９】
この場合、上述した各処理を実行させるためのプログラムを適用し、当該装置（移動体通信端末など）を制御するコンピュータ（ＣＰＵなど）がそのプログラムを実行することで、本発明にかかる移動体通信端末として機能させることができる。
【００７０】
このようなプログラムの適用方法は任意であり、例えば、インターネットなどの通信媒体を介して提供することで任意の装置に適用できる他、所定の記録媒体（例えば、メモリカード、ＣＤ−ＲＯＭ、ＤＶＤ、など）にプログラムを格納して配布することでも適用可能である。
【図面の簡単な説明】
【００７１】
【図１】本発明の実施形態にかかる移動体通信端末の外観構成を示す図である。
【図２】図１に示す移動体通信端末の内部構成を示すブロック図である。
【図３】図１および図２に示すセンサ入力装置を説明するための図であり、（ａ）は図１に示したセンサ入力装置の詳細を示し、（ｂ）はセンサ入力装置に手指を載置した状態の例を示し、（ｃ）は可動ガイドを突出させるための内部構造の例を示し、（ｄ）は可動ガイドを収納するための内部構造の例を示す。
【図４】図１に示す認証情報格納部に格納される情報の例を示す図である。
【図５】図２に示す制御部によって実現される機能構成を示す機能ブロック図である。
【図６】本発明の実施形態にかかる「ガイド制御処理」を説明するためのフローチャートである。
【図７】センサ入力装置と手指の状態を説明するための図であり、（ａ）はセンサ部を指紋入力装置として機能させたときのセンサ入力装置と手指の状態を示し、（ｂ）はセンサ部をポインティングデバイスとして機能させたときのセンサ入力装置と手指の状態を示す。
【符号の説明】
【００７２】
１００…移動体通信端末、１１０…制御部、１１１…認証動作判別部、１１２…ガイド制御部、１１３…センサ制御部、１１４…認証動作部、１１５…表示制御部、１２０…通信制御部、１２１…アンテナ、１３０…操作部、１４０…表示部、１５０…音声処理部、１５１…スピーカ、１５２…マイクロフォン、１６０…センサ入力装置、１６１…センサ部、１６２…可動ガイド、１６３…モータ、１６４…ガイド駆動機構、１７０…記憶部、１７１…プログラム格納部、１７２…認証情報格納部、１７３…指紋情報一時格納部
【図１】
2008186320.tif 000003
【図２】
2008186320.tif 000004
【図３】
2008186320.tif 000005
【図４】
2008186320.tif 000006
【図５】
2008186320.tif 000007
【図６】
2008186320.tif 000008
【図７】
2008186320.tif 000009